(57)【要約】【構成】鳥かご１の扉２側に設置されるカバー５で、鳥かご１の内部に手を入れることができ、手を入れたときに、手と鳥かご１の扉２の開けられた開放口４の内側との間を覆って鳥かご１から小鳥６が外部に飛出てしまうことを防止できる大きさの穴５０が開けられている鳥かご用の小鳥などの生き物の飛出防止カバー５。【効果】鳥かごの落し戸や扉等を開けて鳥かごの内部の小鳥にエサを与えたり又は水を新しいのに取り替えたりする等の作業中にその開放口（出入口）から小鳥が外部に飛出（逃出）してしまうことを防止できる。【選択図】        図１
2004229622.tif 000002
【特許請求の範囲】
【請求項１】
鳥かご類の落し戸又は扉側に設置されるカバーで、当該カバーには穴が開けられており、当該穴は、当該穴から当該鳥かご類の内部に手を入れることができ、且つ、当該穴から手を入れたときに、当該手と当該鳥かご類の落し戸又は扉の開けられた開放口内側との間を覆って当該鳥かご類から小鳥などの生き物が外部に飛出てしまうことを防止できる大きさの穴であることを特徴とする鳥かご類用の小鳥などの生き物の飛出防止カバー。
【請求項２】
鳥かご類の落し戸又は扉側に、当該鳥かご類の内部に手を入れることができ、且つ、手を入れたときに、当該手と当該鳥かご類の落し戸又は扉の開けられた開放口内側との間を覆って当該鳥かご類から小鳥などの生き物が外部に飛出てしまうことを防止できる大きさの穴を有してなる飛出防止カバーを脱着可能に設置してなることを特徴とする鳥かご類。
【請求項３】
鳥かご類が、鳥かご、巣箱又は畜舎であることを特徴とする、請求項１又は２に記載の鳥かご類用の小鳥などの生き物の飛出防止カバー又は鳥かご類
【発明の詳細な説明】
【０００１】
【発明の属する技術分野】
本発明は、鳥かご類用の小鳥などの生き物の飛出防止カバーおよびそれを備えた鳥かご類に関する。
【０００２】
【従来の技術】
鳥かごの落し戸や扉等を開けて、鳥かごの内部の小鳥にエサを与えたり又は水を新しいのに取り替えたりする等の作業中に、その開放口（出入口）から小鳥などの生き物が、外部に飛出（逃出）してしまうことがある。
その場合、出入口を狭めて開ける等の対策が考えられるが、小鳥にエサを与えたり又は水を新しいのに取り替えたりする等の作業に支障を来したりする。
又、鳥かご自体に、ロック機構やクランプ機構を設けたり、出入口の案内桟に突起を設け扉の開放度を可変できるようにした機構やえさ箱と鳥を区切った鳥かごなどがあるが、構造的に複雑になるなどの問題があった。
尚、上記小鳥等の飛出（逃出）防止に関し記載した文献の例として、実開昭５６−１６０４７０号公報、特開昭５１−１１４２７２号公報がある。
又、飛出（逃出）防止に関したものではないが、鳥かごにおける餌（エサ）の飛散防止などに関係した文献として、特開平０８−１５４５２２号公報、特開平０８−１５４５２１号公報、実開昭５８−１５０９７０号公報、実開昭６３−１８６２４４号公報、特開平１−２８５１３０号公報、特開昭６３−２１４１２２号公報、実開平１−１５５３５６号公報、実開平２−２９２６４号公報などがある。
【０００３】
【発明が解決しようとする課題】
本発明は、上記のような従来技術の有する欠点を解消した技術を提供することを目的としたものである。
本発明の他の目的および新規な特徴は以下の明細書及び図面の記載からも明らかになるであろう。
【０００４】
【課題を達成するための手段】
本発明は、鳥かご類の落し戸又は扉側に設置されるカバーで、当該カバーには穴が開けられており、当該穴は、当該穴から当該鳥かご類の内部に手を入れることができ、且つ、当該穴から手を入れたときに、当該手と当該鳥かご類の落し戸又は扉の開けられた開放口内側との間を覆って当該鳥かご類から小鳥などの生き物が外部に飛出てしまうことを防止できる大きさの穴であることを特徴とする鳥かご類用の小鳥などの生き物の飛出防止カバーに係るものである。
又、本発明は、鳥かご類の落し戸又は扉側に、当該鳥かご類の内部に手を入れることができ、且つ、手を入れたときに、当該手と当該鳥かご類の落し戸又は扉の開けられた開放口内側との間を覆って当該鳥かご類から小鳥などの生き物が外部に飛出てしまうことを防止できる大きさの穴を有してなる飛出防止カバーを脱着可能に設置してなることを特徴とする鳥かご類に係るものである。
【０００５】
【実施の最良の形態】
図１は、本発明の実施例を示す飛出防止カバー使用時の要部構成図、図２は、本発明の実施例を示す鳥かごの飛出防止カバー使用時の構成図、図３は、本発明に使用される鳥かごの一例開放時構成図、図４は、本発明の実施例を示す飛出防止カバーの構成図、図５は、本発明に使用される鳥かごの一例を示す閉じた状態の構成図、図６は、本発明に使用される鳥かごの一例を示す閉じた状態の全体構成図、図７は、本発明の他の実施例を示す飛出防止カバーの構成図、図８は、本発明に使用される鳥かごの他の一例を示す閉じた状態の全体構成図である。
【０００６】
【実施例】
図６に一例を示すような鳥かご（和鳥の竹かご）１では、落し戸（扉）２は、一般に、それを上下方向に移動させて開閉できるようにしている。
鳥かご（和鳥の竹かご）１において、当該図６や図５に示す扉２を閉じた状態から、扉２の桟３を上方向に持ち上げると、図３に示すように、扉２が開けられ、開放口４が出現する。
図示が省略されているが、当該鳥かご１の内部には、エサ入れ、止まり木等必要部材が設置されている。
鳥かごの内部の小鳥にエサを与えたり又は水を新しいのに取り替えたりする等の為に、手を差し入れ、それら作業中に、手と開放口との間から小鳥が外部に飛出（逃出）してしまうことがある。
そこで、本発明では、例えば、図４に示すような飛出防止カバーの一例として網状部材５を、例えば、図２に一例を示すように、予じめ、当該鳥かご１の落し戸（扉）２側に設置しておく。
上記鳥かご１の内部の小鳥にエサを与えたりする等の作業上、当該網状部材５には、鳥かご内部に手を差し込める穴５０が開けられている。
図２では、当該穴５０が、当該網状部材５の中央部に開けられている例が示されている。
当該網状部材５は、図１に示すように、穴５０から手を入れたときに、当該手と当該鳥かご１の落し戸（扉）２の開けられた開放口４の内側との間を覆っている。当該網状部材５の中央部に開けられた穴５０は、図１に示すように、当該穴５０から手を入れたときに、当該手と当該鳥かご１の落し戸（扉）２の開けられた開放口４の内側との間を覆い、当該鳥かご１から小鳥６が外部に飛出てしまうことを防止できる程度の大きさの穴に構成されている。
その為、当該鳥かご１の内部の小鳥６が外部に飛出そうとしても、当該網状部材５に引っ掛かりその飛出を阻止できる
【０００７】
本発明の飛出防止カバー５における穴５０は、円形に限定されず、他の形状の穴、例えば、図７に示すような、四角の穴を有するものでもよい。又、本発明の飛出防止カバー５は、上記網状部材のようなネット状のものに限定されない。その材質は、布やプラスチックなどであればよく、限定されない。
【０００８】
上記鳥かご１の例として、和鳥の竹かごを例示したが、それに限定されず、例えば、図８に示すような他の形態の鳥かごであってもよい。その際の扉２としては、当該図８に示されるような、はめ込み式の扉２であってもよい。又、落し戸又は扉の用語に限定されず、そのような機能を果たす開放口を有するものでもよい。
本発明における鳥かご類としては、鳥かごに限定されず、それに類した例えば巣箱又は畜舎のようなものにも適用される。
従って、本発明は、小鳥に限定されず、リス等のペットなどの生き物にも適用される。
【０００９】
【発明の効果】
本願において開示される発明のうち代表的なものによって得られる効果を簡単に説明すれば、下記のとおりである。
すなわち、本発明によれば、鳥かごの落し戸や扉等を開けて、鳥かごの内部の小鳥にエサを与えたり又は水を新しいのに取り替えたりする等の作業中に、その開放口（出入口）から小鳥などの生き物が、外部に飛出（逃出）してしまうことがあるが、それを防止できる。
その場合、出入口を狭めて開ける等の対策が考えられるが、小鳥にエサを与えたり又は水を新しいのに取り替えたりする等の作業に支障を来したりするが、本発明では、当該作業に支障を来すことがない。
又、鳥かご自体に、ロック機構やクランプ機構を設けたり、出入口の案内桟に突起を設け扉の開放度を可変できるようにした機構やえさ箱と鳥を区切った鳥かごなどがあるが、構造的に複雑になるなどの問題があったが、本発明では、簡単な手段にて解決できるようになった。
【図面の簡単な説明】
【図１】図１は、本発明の実施例を示す飛出防止カバー使用時の要部構成図である。
【図２】図２は、本発明の実施例を示す鳥かごの飛出防止カバー使用時の構成図である。
【図３】図３は、本発明に使用される鳥かごの一例開放時構成図である。
【図４】図４は、本発明の実施例を示す飛出防止カバーの構成図である。
【図５】図５は、本発明に使用される鳥かごの一例を示す閉じた状態の構成図である。
【図６】図６は、本発明に使用される鳥かごの一例を示す閉じた状態の全体構成図である。
【図７】図７は、本発明の他の実施例を示す飛出防止カバーの構成図である。
【図８】図８は、本発明に使用される鳥かごの他の一例を示す閉じた状態の全体構成図である。
【符号の説明】
１…鳥かご
２…落し戸（扉）
３…桟
４…開放口
５…飛出防止カバー（網状部材）
５０…穴
【図１】
2004229622.tif 000003
【図２】
2004229622.tif 000004
【図３】
2004229622.tif 000005
【図４】
2004229622.tif 000006
【図５】
2004229622.tif 000007
【図６】
2004229622.tif 000008
【図７】
2004229622.tif 000009
【図８】
2004229622.tif 000010